(57)【要約】【課題】複数の部品を連結してなる整流板の連結状態を強固に保持できる給湯器を提供する。【解決手段】排気ケーシング内の整流板５０は、下板部５１と上板部５２の夫々の後端部を互いに連結して構成される。下板部５１の後端部には、上方に屈曲された下側連結部５１３が設けられる。上板部５２の後端部には、下方に屈曲された上側連結部５２１が設けられる。上側連結部５２１には、前後方向に対して互い違いにずれる第一舌片部８１と第二舌片部８２が左右方向に並んで形成される。下側連結部５１３には、第一受け部７１と第二受け部７２が左右方向に並んで形成される。第一受け部７１と第二受け部７２は、対向する第一受け部７１の前面側と第二受け部７２の後面側に対して互い違いに対向する。第一受け部７１と第二受け部７２に対して、第一舌片部８１と第二舌片部８２が前後方向にずれるように差し込まれる。【選択図】図６
2020098062.tif 000002
【特許請求の範囲】
【請求項１】
バーナからの燃焼排気の熱によって通水を加熱する熱交換器の上方に設けられ、前部が前記熱交換器よりも前方へ張り出し、前記熱交換器を上方に通過した前記燃焼排気を外部に排出する開口を前記前部に備えた排気ケーシングと、
前記開口から前方に突出し、前記開口から排出された前記燃焼排気を前方に案内する排気筒と、
前記排気ケーシング内に支持され、前記熱交換器を上方に通過した前記燃焼排気を前記開口に向けて整流する整流板と
を備えた給湯器において、
前記整流板は、
前記熱交換器側に配置され、前側から後側になるにつれて上り傾斜する下板部と、
前記下板部よりも前記熱交換器から離れる側に配置され、後側から前側になるにつれて下り傾斜する上板部と
の夫々の後端部を互いに連結して構成され、
前記下板部の前記後端部には、上方に屈曲された下側連結部が設けられ、
前記上板部の前記後端部には、下方に屈曲された上側連結部が設けられ、
前記下側連結部及び前記上側連結部のうち何れか一方には、前後方向に対して互い違いにずれる舌片部が左右方向に複数並んで形成され、
他方には、前記複数の舌片部と対応する複数の受け部が、前記複数の舌片部の前面側及び後面側に対して互い違いに対向するように左右方向に並んで形成され、
前記複数の受け部に対して、前記複数の舌片部が前後方向にずれるように差し込まれることによって、前記下側連結部と前記上側連結部が互いに連結されること
を特徴とする給湯器。
【請求項２】
前記下板部の側部の後端側には、上方に突出する第一側面部が設けられ、
前記上板部の側部の後端側には、下方に突出し、且つ前記上側連結部と前記下側連結部が互いに連結した状態において、前記第一側面部と左右方向に重なる第二側面部が設けられ、
前記第一側面部には、係合部が設けられ、
前記第二側面部には、前記係合部が係合する被係合部が設けられたこと
を特徴とする請求項１に記載の給湯器。
【請求項３】
前記排気ケーシングの内部には、
互いに連結する前記下側連結部と前記上側連結部を上下方向の両側から挟み込む挟持部が設けられたこと
を特徴とする請求項１又は２に記載の給湯器。
【発明の詳細な説明】
【技術分野】
【０００１】
本発明は、給湯器に関する。
【背景技術】
【０００２】
従来、筐体の上部に排気部を備えた給湯器が知られている（例えば、特許文献１参照）。排気部は、熱交換器のケーシングの上側に固定され、前面が開口して左右及び後部を覆うカバー状の排気ケーシングと、その排気ケーシングの内部に設けられる整流板とを備える。整流板は、熱交換器側で排気ケーシングの前端から後側にかけて上り傾斜した後、上方向に延び、その後、前側に向けて折り返され、さらに前方に向けて下り傾斜する折り返し形状を備える。整流板は、このような折り返し形状を備えることで、排気ケーシングの内部に排気通路を形成する。
【先行技術文献】
【特許文献】
【０００３】
【特許文献１】特開２０１８−３１４８９号公報
【発明の概要】
【発明が解決しようとする課題】
【０００４】
整流板は、上記折り返し形状を備えるので、一体形成した場合には、加工工程が多く、コストが高くなるという問題点があった。この問題点を解消する為、例えば、整流板を複数の部品で構成し、折り返し部分で連結できるようにすることで、コストを下げることが考えられる。しかしながら、搬送時の振動、衝撃、各構成部品の撓り戻り等により連結状態が緩んでしまい、排気ケーシング内における燃焼排気の圧力損失が高くなる可能性があった。
【０００５】
本発明の目的は、複数の部品を連結してなる整流板の連結状態を強固に保持できる給湯器を提供することである。
【課題を解決するための手段】
【０００６】
請求項１の給湯器は、バーナからの燃焼排気の熱によって通水を加熱する熱交換器の上方に設けられ、前部が前記熱交換器よりも前方へ張り出し、前記熱交換器を上方に通過した前記燃焼排気を外部に排出する開口を前記前部に備えた排気ケーシングと、前記開口から前方に突出し、前記開口から排出された前記燃焼排気を前方に案内する排気筒と、前記排気ケーシング内に支持され、前記熱交換器を上方に通過した前記燃焼排気を前記開口に向けて整流する整流板とを備えた給湯器において、前記整流板は、前記熱交換器側に配置され、前側から後側になるにつれて上り傾斜する下板部と、前記下板部よりも前記熱交換器から離れる側に配置され、後側から前側になるにつれて下り傾斜する上板部との夫々の後端部を互いに連結して構成され、前記下板部の前記後端部には、上方に屈曲された下側連結部が設けられ、前記上板部の前記後端部には、下方に屈曲された上側連結部が設けられ、前記下側連結部及び前記上側連結部のうち何れか一方には、前後方向に対して互い違いにずれる舌片部が左右方向に複数並んで形成され、他方には、前記複数の舌片部と対応する複数の受け部が、前記複数の舌片部の前面側及び後面側に対して互い違いに対向するように左右方向に並んで形成され、前記複数の受け部に対して、前記複数の舌片部が前後方向にずれるように差し込まれることによって、前記下側連結部と前記上側連結部が互いに連結されることを特徴とする。
【０００７】
請求項２の給湯器において、前記下板部の側部の後端側には、上方に突出する第一側面部が設けられ、前記上板部の側部の後端側には、下方に突出し、且つ前記上側連結部と前記下側連結部が互いに連結した状態において、前記第一側面部と左右方向に重なる第二側面部が設けられ、前記第一側面部には、係合部が設けられ、前記第二側面部には、前記係合部が係合する被係合部が設けられるとよい。
【０００８】
請求項３の給湯器の前記排気ケーシングの内部には、互いに連結する前記下側連結部と前記上側連結部を上下方向の両側から挟み込む挟持部が設けられるとよい。
【発明の効果】
【０００９】
請求項１の給湯器によれば、複数の受け部に対して、複数の舌片部が前後方向にずれるように差し込まれることによって、下板側連結部と上板側連結部が互いに連結される。これにより、下板部及び上板部の同じ方向への応力が分散して加わるので、連結状態が緩むのを防止できる。よって、安価な構成を取りつつも、排気ケーシング内への圧損が高くなるのを防止できる。
【００１０】
請求項２の給湯器によれば、下板部の第一側面部に設けられた係合部と、上板部の第二側面部に設けられた被係合部とを互いに係合させることで、下板部と上板部の仮組みが容易となる。これにより、整流板の組立工程における作業効率を向上できる。
【００１１】
請求項３の給湯器によれば、挟持部が下側連結部と前記上側連結部を上下方向の両側から挟み込むので、排気ケーシング内で下板部と上板部が分離するのを防止できる。
【図面の簡単な説明】
【００１２】
【図１】給湯器１の断面図である。
【図２】排気部３０の斜視図である。
【図３】排気部３０の断面図である。
【図４】下板部５１の斜視図である。
【図５】上板部５２の斜視図である。
【図６】整流板５０の斜視図である。
【図７】整流板５０の断面斜視図である。
【発明を実施するための形態】
【００１３】
以下、本発明の実施形態を説明する。以下に記載される装置の構造などは、特定的な記載がない限り、それのみに限定する趣旨ではなく、単なる説明例である。図面は、本発明が採用しうる技術的特徴を説明する為に用いられるものである。以下説明は、図中に矢印で示す左右、前後、上下を使用する。
【００１４】
図１、図２を参照し、給湯器１の構造を説明する。給湯器１は、筐体２とフロントカバー８を備える。筐体２の前面には開口７が設けられる。フロントカバー８は、筐体２の前面に着脱可能であって、開口７を閉塞する。フロントカバー８の上部には、排気筒９が前方に突出し（図２参照）、下部には吸気口（図示略）が設けられる。筐体２の底板４には、外部の給湯栓へ繋がる出湯口１１、外部から水道管が接続される入水口１２、外部からガス管が接続されるガス入口（図示略）が夫々設けられる。筐体２の背板６の上部と下部には、壁取付用の金具１６Ａ、１６Ｂが夫々設けられる。
【００１５】
筐体２内の上部には、下方から順に、燃焼部１８、熱交換器１９、排気部３０が設けられる。燃焼部１８はバーナ側ケーシング２１内に設けられ、複数のバーナ１８１を左右方向に並べて備える。燃焼部１８の下方には、複数のバーナ１８１に燃焼用空気を供給する給気ファン２５が設けられる。
【００１６】
熱交換器１９は、熱交換器側ケーシング２６内に設けられる。熱交換器側ケーシング２６は、バーナ側ケーシング２１の上部に固定される。熱交換器１９は、左右方向に所定間隔をおいて複数枚積層したフィン２０を左右方向に貫通し、互いに平行に配設される複数の伝熱管１９Ａを有する。隣接する伝熱管１９Ａ同士は、Ｕ字状の接続管（図示略）によって連結されることで、蛇行状に繋がる一連の管体を形成する。熱交換器１９の管体の上流端には、入水口１２と接続される入水管２７の下流端が接続され、当該管体の下流端には、出湯口１１に接続される出湯管（図示略）が接続される。燃焼部１８からの燃焼排気が伝熱管１９Ａ同士の隙間を通過することによって、伝熱管１９Ａの通水との間で熱交換が行われ、伝熱管１９Ａの通水が加熱される。
【００１７】
排気部３０は、排気ケーシング４０と整流板５０を備える（図２参照）。排気ケーシング４０は、熱交換器側ケーシング２６の上部に固定され、排気筒９と連通する。排気ケーシング４０は、前部が熱交換器１９よりも前方へ張り出す。整流板５０は、排気ケーシング４０内に支持され、熱交換器１９から排気ケーシング４０内に流入した燃焼排気の排気通路を形成する。
【００１８】
図２〜図５を参照し、排気ケーシング４０の形状を説明する。図２、図３に示すように、排気ケーシング４０は、後部において上方に膨出し、前方へ向かうに従って徐々に低くなる形状を備える。排気ケーシング４０は前部に開口４００（図３参照）を有する。開口４００は、正面視下側に開口する略コの字型である。排気ケーシング４０は、後方から前方にかけて順に、湾曲部４１、最上部４２、急傾斜部４３、緩傾斜部４４を備え、それらの左右両側に一対の側面部４５を備える。湾曲部４１は、上方に立ち上がりつつ前方に湾曲する。最上部４２は、湾曲部４１の前端部から前方に向けて略水平に延びる。急傾斜部４３は、最上部４２の前端部から急な角度で斜め下方に傾斜する。緩傾斜部４４は、急傾斜部４３の前端部から急傾斜部４３よりも緩い角度で傾斜し、前方に延びる。一対の側面部４５は、湾曲部４１、最上部４２、急傾斜部４３、緩傾斜部４４の左右両端部から垂下し、排気ケーシング４０の左右の両側面を形成する。
【００１９】
排気ケーシング４０は、取付フランジ部４６、上側フランジ部４７、外側折返部４８、複数の加締め部４９を更に備える。取付フランジ部４６（図３参照）は、排気ケーシング４０の前端部であって、緩傾斜部４４の前端部と、一対の側面部４５の夫々の前端部とに沿って設けられる。取付フランジ部４６（図３、図５参照）は、外側に向かってフランジ状に突出し、正面視下方に開口する略コの字型に形成される。上側フランジ部４７は、湾曲部４１の下端部と、一対の側面部４５の夫々の下端部とに沿って設けられる。上側フランジ部４７は、外側に向かってフランジ状に突出し、底面視前方に開口する略コの字型に形成される。外側折返部４８は、上側フランジ部４７の外周部に沿って設けられ、下方に折り返して突出する。加締め部４９は、外側折返部４８の下端部に沿って設けられる。上側フランジ部４７の下側に、熱交換器側ケーシング２６の上端部に設けられた下側フランジ部２６１（図３参照）を配置し、複数の加締め部４９の夫々を内側に折り曲げて加締め固定する。これにより、熱交換器側ケーシング２６の上部に、排気ケーシング４０が固定される。
【００２０】
一対の側面部４５の夫々には、上側挟持部４５１と下側挟持部４５２が設けられる。上側挟持部４５１は、側面部４５における最上部４２の近傍に設けられ、内側に向けて略矩形状に突出する。なお、上側挟持部４５１は絞り加工で形成するとよい。下側挟持部４５２は、上側挟持部４５１の下方で且つ後方寄りに設けられ、内側に向けて略矩形状に突出する。下側挟持部４５２の上面は、前側に下り傾斜する。
【００２１】
最上部４２の上面には、側面視略Ｌ字状のブラケット５５の一端部がネジ３８で固定される。ブラケット５５の他端部は、筐体２の背板６にネジ（図示略）で固定される。これにより、排気ケーシング４０は、筐体２の背面に固定される。
【００２２】
図２、図３を参照し、排気筒９の構造を説明する。排気筒９は、排気ケーシング４０の前部に固定され、前方に突出する略四角筒状に形成される。排気筒９の前部には、左右方向に長い環状の開口端部９０が設けられ、開口端部９０の内側に排気出口９２が設けられる。排気出口９２は、正面視左右方向に長い長円状に形成される。排気出口９２の周縁部には、内側後方に向けて屈曲された受傷防止用のバーリング部９１が設けられる。開口端部９０の下側部の左右両側には、二つの抜け穴９５（図２参照）が設けられる。これにより、排気筒９内に降り込んだ雨水は、抜け穴９５から外部に排出される。
【００２３】
排気筒９の後端部には、外方に向けてフランジ状に突出するフランジ部９３が設けられる。フランジ部９３は、左右方向に長い正面視略矩形リング状に形成される。フランジ部９３の外周部には、内側に折り返された加締め片９４が設けられる（図３参照）。フランジ部９３の後面に対して、排気ケーシング４０の前端部に設けられた取付フランジ部４６と、整流板５０の後述する下板部５１の前端部に設けられた取付片５１２が配置され、加締め片９４で加締められる。これにより、排気ケーシング４０の前端部と、整流板５０の下板部５１の前端部に対し、排気筒９が固定される。
【００２４】
排気ケーシング４０の開口４００の前方に、排気筒９の排気出口９２が配置される。これにより、排気筒９は、排気ケーシング４０の開口４００から流れる燃焼排気を排気出口９２から良好に排出できる。排気筒９は、フロントカバー８の上部に設けられた筒用固定穴（図示略）に対して背面側から挿入される（図１参照）。よって、排気筒９がフロントカバー８の上部において前方に突出する状態で固定される。
【００２５】
図３〜図７を参照し、整流板５０の形状を説明する。図３、図６に示すように、整流板５０は、下板部５１、上板部５２、雨除け部１００を備える。図４に示すように、下板部５１は、本体部５１１を備える。本体部５１１は平面視略矩形状に形成され、前側から後側になるにつれて斜め上方に傾斜する。本体部５１１の前端部には、前方に向けて略水平に延び、その先端側が下方に略直角に折り返した側面視略逆Ｌ字状の取付片５１２が設けられる。
【００２６】
本体部５１１の後端部には、上方に略直角に屈曲する下側連結部５１３が設けられる。下側連結部５１３は、４つの第一受け部７１と３つの第二受け部７２を左右方向において交互に並べて備える。第一受け部７１は、背面視上下方向に長い細長略矩形状に形成された板状部である。第二受け部７２も、第一受け部７１と同様に、背面視上下方向に長い細長略矩形状に形成された板状部であり、第一受け部７１よりも前側に凹んで形成される。下側連結部５１３は、上板部５２の後述する上側連結部５２１と連結する。
【００２７】
下板部５１の前側の領域には、三つの支持部５１７（図３、図７において一つのみ図示）が左右方向に間隔をあけて設けられる。支持部５１７は、平面視略矩形状で上方に突出する。支持部５１７の上面には、後述する上板部５２の下面が接触する。これにより、支持部５１７は、上板部５２を支持する。さらに、本体部５１１の左右の両端部には、リブ状に上方に突出する左右一対の突出片５１４が設けられる。各突出片５１４は、側面視前後方向に長い略矩形状に形成される。各突出片５１４の上端部の後側には、上方に更に突出する側面視略矩形状の側面部５１５が設けられる。左右一対の側面部５１５は互いに対向する。各側面部５１５の略中央部には、係合突起５１６が設けられる。係合突起５１６は内側に向かって突出するように切り起こされ、側面視略三角形状に形成される。
【００２８】
図５に示すように、上板部５２は、下板部５１の上側に支持され、平面視略矩形状に形成される。上板部５２は、後方から順に、傾斜部６１、水平部６２、後側傾斜部６３、前側傾斜部６４を備える。傾斜部６１は平面視左右方向に長い略矩形状であって、後述する上側連結部５２１の上端部から前側に向かって上り傾斜する。水平部６２は平面視左右方向に長い略矩形状であって、傾斜部６１の上端部から前側に向かって略水平に延び、排気ケーシング４０の最上部４２の下面と対向する（図３参照）。水平部６２の左右両端部には、下方に延びる左右一対の側面部６６が設けられる。各側面部６６は側面視略矩形状に形成され、その略中央部には、略矩形状の開口部６７が設けられる。
【００２９】
後側傾斜部６３は平面視左右方向に長い略矩形状であって、水平部６２の前端部から急な角度で斜め下方に傾斜する。後側傾斜部６３の傾斜角度は、排気ケーシング４０の急傾斜部４３の傾斜角度と略同一である。後側傾斜部６３は、排気ケーシング４０の急傾斜部４３の下方に位置し、且つその下面と対向する（図３参照）。前側傾斜部６４は平面視左右方向に長い略矩形状であって、後側傾斜部６３の前端部から後側傾斜部６３よりも緩い角度で傾斜する。前側傾斜部６４の前側部の左右両側には、側面視略矩形状の一対の邪魔板部６８、６９が立設される。邪魔板部６８、６９は、平面視、前方に向かうに従って左右方向の中央部側に傾斜する。これにより、邪魔板部６８、６９は、排気ケーシング４０の排気通路から排気筒９内に流れる燃焼排気を、排気出口９２の左右方向中央部に向けて案内する。
【００３０】
傾斜部６１の後端部には、下方に屈曲する上側連結部５２１が設けられる。上側連結部５２１は、４つの第一舌片部８１と３つの第二舌片部８２を左右方向において交互に並べて備える。第一舌片部８１は、背面視上下方向に長い細長略矩形状に形成された板状部である。第二舌片部８２も、第一舌片部８１と同様に、背面視上下方向に長い細長略矩形状に形成された板状部である。隣り合う第一舌片部８１と第二舌片部８２の間には、隙間が形成される。なお、上側連結部５２１と、下板部５１の下側連結部５１３との連結方法については後述する。
【００３１】
雨除け部１００は、前側傾斜部６４の上面に固定される。雨除け部１００は、平面視左右方向に長い略矩形状に形成され、排気筒９から排気ケーシング４０内の整流板５０に向かって勢いよく入射する雨水を受ける。雨除け部１００に当たって後方に跳ね返った雨水は、排気ケーシング４０の緩傾斜部４４の下面に衝突するようになっている。緩傾斜部４４の下面に衝突した雨水は、整流板５０の前側傾斜部６４上に落下し、排気出口９２側に流れる。これにより、排気ケーシング４０内において、雨水が整流板５０の後部を超えて、筐体２内に侵入するのを防止できる。なお、排気出口９２側に流れた雨水は、開口端部９０の二つの抜け穴９５から外部に排出される。
【００３２】
図４〜図７を参照し、整流板５０の組立方法と、排気ケーシング４０内への設置方法を説明する。先ず、下板部５１の上側に対して、上板部５２を配置する。下板部５１の下側連結部５１３に対し、上板部５２の上側連結部５２１を上方から差し込む。このとき、上側連結部５２１の４つの第一舌片部８１と３つの第二舌片部８２を、下側連結部５１３の４つの第一受け部７１と３つの第二受け部７２に対して、前後方向にずれるように差し込む。具体的に言うと、４つの第一舌片部８１を、４つの第一受け部７１の前側に沿って差し込み、３つの第二舌片部８２を、３つの第二受け部７２の後側に沿って差し込む。４つの第一舌片部８１と３つの第二舌片部８２は、前後方向に互い違いに撓った状態で、４つの第一受け部７１の前面と３つの第二受け部７２の背面に夫々密着する。
【００３３】
これにより、下側連結部５１３に対して、上側連結部５２１を強固に連結できる。よって、下板部５１及び上板部５２の同じ方向への応力が分散して加わるので、下側連結部５１３と上側連結部５２１の連結状態が緩むのを防止できる。整流板５０の形状を安定して保持できるので、排気ケーシング４０内における燃焼排気の良好な流れを維持できる。このことから、安価な構成を取りつつも、排気ケーシング４０内における燃焼排気の圧力損失が高くなるのを防止できる。
【００３４】
そして、下板部５１の一対の側面部５１５の内側に対し、上板部５２の一対の側面部６６が上方から挿入して配置する。下板部５１の右側の側面部５１５の左面に、上板部５２の右側の側面部６６が重なる。下板部５１の左側の側面部５１５の右面に、上板部５２の左側の側面部６６が重なる。さらに、下側連結部５１３に対して、上側連結部５２１を連結したとき、各側面部５１５の係合突起５１６に対し、対向する側面部６６の開口部６７が係合する。これにより、下板部５１と上板部５２が夫々の後部において互いに強固に連結するので、排気ケーシング４０に組み付ける前に、下板部５１と上板部５２を容易に仮組みできる。よって、排気部３０の組立工程における作業効率を向上できる。また、下板部５１の３つの支持部５１７の上面には、上板部５２の前側傾斜部６４の下面が載置されるので、上板部５２は、下板部５１の上方に安定して支持される。
【００３５】
仮組みされた整流板５０を、排気ケーシング４０内に配置する。このとき、排気ケーシング４０の左右一対の側面部４５に設けられた上側挟持部４５１と下側挟持部４５２の間に対し、整流板５０の後部を前方から挿入する。このとき、上側挟持部４５１の下面に対し、整流板５０の上板部５２の水平部６２の上面を接触させる。下側挟持部４５２の上面に対し、整流板５０の下板部５１の本体部５１１の下面を接触させる。これにより、上側挟持部４５１と下側挟持部４５２は、整流板５０の後部を上下両側から挟み込んで支持するので、下側連結部５１３と上側連結部５２１の連結状態をさらに強固にする。よって、排気ケーシング４０内において、下板部５１と上板部５２が分離するのを確実に防止できる。
【００３６】
以上説明したように、本実施形態の給湯器１は、排気ケーシング４０、排気筒９、整流板５０を備える。排気ケーシング４０は、熱交換器１９の上方に設けられ、前部が熱交換器１９よりも前方へ張り出し、熱交換器１９を上方に通過した燃焼排気を外部に排出する開口４００を前部に備える。排気筒９は、開口４００に接続され、前方に筒状に突出する。排気筒９は、前部に上下方向よりも左右方向に長い排気出口９２を備え、開口４００から排出された燃焼排気を外部に排出する。整流板５０は、排気ケーシング４０内に支持され、熱交換器１９を上方に通過した燃焼排気を開口４００に向けて整流する。
【００３７】
整流板５０は、下板部５１と上板部５２を備える。下板部５１は、熱交換器１９側に配置され、前側から後側になるにつれて上り傾斜する。上板部５２は、下板部５１よりも熱交換器１９から離れる側に配置され、後側から前側になるにつれて下り傾斜する。整流板５０は、下板部５１と上板部５２の夫々の後端部を互いに連結して構成される。下板部５１の後端部には、上方に屈曲された下側連結部５１３が設けられる。上板部５２の後端部には、下方に屈曲された上側連結部５２１が設けられる。
【００３８】
上側連結部５２１には、前後方向に対して互い違いにずれる第一舌片部８１と第二舌片部８２が左右方向に複数並んで形成される。下側連結部５１３には、第一受け部７１と第二受け部７２が左右方向に並んで形成される。第一受け部７１と第二受け部７２は、自身と対向する第一受け部７１の前面側と第二受け部７２の後面側に対して互い違いに対向する。第一受け部７１と第二受け部７２に対して、第一舌片部８１と第二舌片部８２が前後方向にずれるように差し込まれることによって、下側連結部５１３と上側連結部５２１が互いに強固に連結される。これにより、下板部５１及び上板部５２の同じ方向への応力が分散して加わるので、連結状態が緩むのを防止できる。よって、安価な構成を取りつつも、排気ケーシング４０内における燃焼排気の圧力損失が高くなるのを防止できる。
【００３９】
上記説明において、上板部５２の上側連結部５２１の第一舌片部８１及び第二舌片部８２は、本発明の「舌片部」の一例である。下板部５１の下側連結部５１３の第一受け部７１及び第二受け部７２は、本発明の「受け部」の一例である。下板部５１の一対の側面部５１５は、本発明の「第一側面部」の一例、上板部５２の一対の側面部６６は、本発明の「第二側面部」の一例である。側面部５１５に設けた係合突起５１６は、本発明の「係合部」の一例であり、側面部６６に設けた開口部６７は、本発明の「被係合部」の一例である。排気ケーシング４０の左右一対の側面部４５に設けられた上側挟持部４５１及び下側挟持部４５２は、本発明の「挟持部」の一例である。
【００４０】
なお、本発明は上記実施形態に限定されるものではなく、種々の変更が可能である。排気ケーシング４０、下板部５１、上板部５２の夫々の傾斜角度、及び傾斜形状等は、上記実施形態に限らず、自由に変更可能である。
【００４１】
整流板５０において、下板部５１の下側連結部５１３は、４つの第一受け部７１と３つの第二受け部７２を備えるが、夫々の数及び形状については自由に変更可能である。上板部５２の上側連結部５２１の第一舌片部８１及び第二舌片部８２の夫々の数は、第一受け部７１と第二受け部７２の夫々の数に対応させればよい。第一受け部７１、第二受け部７２、第一舌片部８１及び第二舌片部８２の夫々の形状についても上記実施形態に限定されない。
【００４２】
下板部５１の下側連結部５１３には、複数の第一受け部７１と第二受け部７２が設けられ、上板部５２の上側連結部５２１には、複数の第一舌片部８１と第二舌片部８２が設けられるが、複数の第一舌片部８１と第二舌片部８２を下側連結部５１３に設け、複数の第一受け部７１と第二受け部７２を上側連結部５２１に設けてもよい。
【００４３】
整流板５０の上板部５２の上面に固定される雨除け部１００は省略してもよい。整流板５０の上板部５２の左右両側の邪魔板部６８、６９も省略してもよい。下板部５１の一対の側面部５１５、及び上板部５２の一対の側面部６６も省略してもよい。
【符号の説明】
【００４４】
１    給湯器
７    開口
９    排気筒
１９    熱交換器
４０    排気ケーシング
４５    側面部
５０    整流板
５１    下板部
５２    上板部
６６    側面部
６７    開口部
７１    第一受け部
７２    第二受け部
８１    第一舌片部
８２    第二舌片部
１８１    バーナ
４５１    上側挟持部
４５２    下側挟持部
５１３    下側連結部
５１５    側面部
５１６    係合突起
５２１    上側連結部
【図１】
2020098062.tif 000003
【図２】
2020098062.tif 000004
【図３】
2020098062.tif 000005
【図４】
2020098062.tif 000006
【図５】
2020098062.tif 000007
【図６】
2020098062.tif 000008
【図７】
2020098062.tif 000009